(57)【要約】      （修正有）【課題】特にヘルメットの前面に取り付けられ、場合に応じて縦方向のカバー部分の広さを調整できる、ヘルメット用スライド調整式シールドを提供する。【解決手段】メインシールド１０と、該メインシールドの両側に組立構造により取り付けられ、該メインシールドと重なるように、或いは、該メインシールドの下側に位置するように取り付けられるスモークシールド２０と、を有する。前記スモークシールド２０は、組立構造３０によりメインシールド１０の両側に取り付けられ、その組立構造３０は、スモークシールド２０の両側の近傍にそれぞれ摺動溝２１が形成されると共に、メインシールド１０の下部両側にそれぞれ位置決め孔が形成される。位置決め部材４０がスモークシールド２０の摺動溝２１及びメインシールド１０の位置決め孔を介して締め付けられると、スモークシールド２０をメインシールド１０に組合わされる。【選択図】図１
0003185577.tif 000002
【実用新案登録請求の範囲】
【請求項１】
メインシールドと、
前記メインシールドの両側に組立構造によって取り付けられ、また、該メインシールドと重なるように、或いは、該メインシールドの下側に位置するように取り付けられるスモークシールドと、を有することを特徴とする、
ヘルメット用スライド調整式シールド。
【請求項２】
前記組立構造は、スモークシールドの両側近傍にそれぞれ摺動溝が形成され、さらに、位置決め部材が該スモークシールドの摺動溝を介して前記メインシールドに位置決めされることを特徴とする請求項１に記載のヘルメット用スライド調整式シールド。
【請求項３】
前記摺動溝が弧状の細長溝であることを特徴とする請求項２に記載のヘルメット用スライド調整式シールド。
【請求項４】
前記位置決め部材がリベットであることを特徴とする請求項２に記載のヘルメット用スライド調整式シールド。
【請求項５】
前記位置決め部材が螺合部材であることを特徴とする請求項２に記載のヘルメット用スライド調整式シールド。
【請求項６】
前記位置決め部材がリベットであることを特徴とする請求項３に記載のヘルメット用スライド調整式シールド。
【請求項７】
前記位置決め部材が螺合部材であることを特徴とする請求項３に記載のヘルメット用スライド調整式シールド。
【請求項８】
前記メインシールドが内側に、前記スモークシールドが外側に配置されることを特徴とする請求項１乃至７の何れか１項に記載のヘルメット用スライド調整式シールド。
【請求項９】
前記メインシールドが外側に、前記スモークシールドが内側に配置されることを特徴とする請求項１乃至７の何れか１項に記載のヘルメット用スライド調整式シールド。
【考案の詳細な説明】
【技術分野】
【０００１】
本考案は、特にヘルメットの前面に取り付けられ、場合に応じて縦方向のカバー部分の広さを調整することができるヘルメット用スライド調整式シールドに関するものである。
【背景技術】
【０００２】
ヘルメットは、バイクや自転車などに乗る時に、頭部への衝撃を緩和したり、風や雨などを避けるためにかぶるものである。また、ヘルメットの前面にシールドを取り付ければ、顔への風や雨などの吹き込みを防ぐことができる。
【０００３】
さらに、季節や、昼、夜などに用いるシールドは夫々異なり、例えば、昼の時は、主に風や雨の吹き込みを防いだり、日差しを防ぐために、濃い色のシールドを用いるのが一般的で、夜間には、より見やすくするために、透明のものを使用するのが一般的である。また、冬の時には、冷たい風の吹き込みを防ぐために、幅の広いシールドを使用し、一方、夏の時には、風をヘルメット内に吹き込ませて蒸し暑さを解消するために、短い幅のシールドを用いていた。
【０００４】
このように、ヘルメットに使用するシールドは、使用時期を考えて最適なものを選択する必要があり、もし、夜間や暗所において色の濃いシールドを使用すると、視界に写るものが見えにくいことから、非常に危険であり、また、昼の時に透明のシールドを使えば、強い日差しを遮断することが出来ないので、非常に眩しく、また、冬の時に使用する幅の広いシールドを夏に使用すると、ヘルメット内の蒸し暑さを解消することが出来なく、一方、夏の時に使用する幅の短いシールドを冬に使用すると、冷たい風がヘルメット内に吹き込んで顔や頭が冷えてしまう。
【考案の概要】
【考案が解決しようとする課題】
【０００５】
更に、既存のヘルメットのシールドは、一旦ヘルメットの前面に取り付けると、シールドの色や縦方向のカバー部分の広さなどが変更することができないと共に、場合に応じてタイプが異なるシールドを変更することもできないので、使用上、非常に不便であった。
【課題を解決するための手段】
【０００６】
本考案に係るヘルメット用スライド調整式シールドは、メインシールドと、前記メインシールドの両側に組立構造によって取り付けられ、また、該メインシールドと重なるように、或いは、該メインシールドの下側に位置するように取り付けられるスモークシールドと、を有するものである。
【０００７】
かかるヘルメット用スライド調整式シールドにおいて、前記組立構造は、スモークシールドの両側近傍にそれぞれ摺動溝が形成され、さらに、位置決め部材が該スモークシールドの摺動溝を介して前記メインシールドに位置決めされることが好ましい。
【０００８】
かかるヘルメット用スライド調整式シールドにおいて、前記摺動溝が弧状の細長溝であることが好ましい。
【０００９】
かかるヘルメット用スライド調整式シールドにおいて、前記位置決め部材がリベットであってもよい。
【００１０】
かかるヘルメット用スライド調整式シールドにおいて、前記位置決め部材が螺合部材であってもよい。
【００１１】
かかるヘルメット用スライド調整式シールドにおいて、前記メインシールドが内側に、前記スモークシールドが外側に配置されてもよい。
【００１２】
かかるヘルメット用スライド調整式シールドにおいて、前記メインシールドが外側に、前記スモークシールドが内側に配置されてもよい。
【考案の効果】
【００１３】
本考案は上記の構成を有することから、環境の変化に応じて、シールドを最適な状態、例えば、色や縦方向のカバー部分の広さなどを、使用者の好みに応じて自由に調整することができるので、実用性に優れている。
【図面の簡単な説明】
【００１４】
【図１】本考案に係るヘルメット用スライド調整式シールドの斜視図である。
【図２】本考案に係るヘルメット用スライド調整式シールドの部分分解斜視図である。
【図３】本考案に係るヘルメット用スライド調整式シールドをヘルメットに取り付けた状態を示す側視図である。
【図４】本考案に係るヘルメット用スライド調整式シールドをヘルメットの下方にずらした状態を示す側視図である。
【図５】本考案に係るヘルメット用スライド調整式シールドをヘルメットの最も下方までずらした状態を示す側視図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
本考案に係るヘルメット用スライド調整式シールドは、メインシールド及びスモークシールドを備え、該スモークシールドをメインシールドと重なるように取り付けてもよく、該スモークシールドをメインシールドの下側に位置するように取り付けてもよい。尚、そのメインシールドとスモークシールドは、別々な色を有してもよく、例えば、メインシールドが透明度に優れたシールドからなり、スモークシールドが色付きのシールドからなる方が好ましい。
【００１７】
また、日差しが強い時は、スモークシールドをメインシールドと重なるように使用することにより、眩しい日差しを遮断することができる。一方、夜間や暗所においては、スモークシールドを下方へずらして、透明なメインシールドに変更すれば、外の景色が見やすくなる。故に、本考案に係るシールドは、環境の変化に応じて使用状態を変更できるので、使用者に最適な状態を提供することができる。
【００１８】
上述の特徴を備える実施例は沢山あることから、以下においては一つの実施例を挙げて説明する。
図１に示すように、本考案に係るヘルメット用スライド調整式シールドは、メインシールド１０及びスモークシールド２０を有し、該メインシールド１０とスモークシールド２０の両側に、メインシールド１０とスモークシールド２０とを組み合わせるための組立構造３０が設けられる。
【００１９】
図１及び図３に示すように、前記メインシールド１０の両側にそれぞれ孔１１が形成され、枢設部材５１を、該孔１１を介してヘルメット５０に取り付けることにより、該メインシールド１０をヘルメット５０の前面に取り付ける。
【００２０】
図１及び図２に示すように、前記スモークシールド２０は、組立構造３０によってメインシールド１０の両側に取り付けられ、その組立構造３０は、スモークシールド２０の両側の近傍にそれぞれ摺動溝２１が形成されると共に、メインシールド１０の下部両側にそれぞれ位置決め孔１２が形成される。
さらに、位置決め部材４０がスモークシールド２０の摺動溝２１及びメインシールド１０の位置決め孔１２を介して締め付けられると、スモークシールド２０をメインシールド１０に組合わされる。
【００２１】
尚、前記メインシールド１０は、透明度に優れたシールドからなり、一方、前記スモークシールド２０は、色付きのシールドからなる方が好ましい。
また、図面に示すように、本実施例では、ヘルメットの内側にメインシールド１０がヘルメットの外側にスモークシールド２０が配置されることが好ましいが、メインシールド１０をヘルメットの外側に、スモークシールド２０をヘルメットの内側に配置してもよい。
【００２２】
前記スモークシールド２０の両側の摺動溝２１はそれぞれ、弧状で細長状の溝であり、それら各摺動溝２１はそれぞれ、上部及び下部がスモークシールド２０の中央に向かって延設され、中間部がスモークシールド２０の中央から離れるように外側に向かって延設される。
【００２３】
前記位置決め部材４０は、リベットでもよく、螺合部材でもよい。本実施例においては、リベット４１を採用しており、このリベット４１は、摺動溝２１及び位置決め孔１２を貫いて、さらにガスケット４２を挿し込んでその他端が叩かれて変形することにより、スモークシールド２０とメインシールド１０とを組合わされる。
【００２４】
他の実施例においては、位置決め部材４０が螺合部材の場合には、ボルトを摺動溝２１及び位置決め孔１２に差し込み、ボルトの他端にナットを螺合すれば、スモークシールド２０をメインシールド１０と組み合わせることができる。
【００２５】
図３に示すように、本考案に係るシールドは、枢設部材５１によりヘルメット５０の前面に枢設されることから、以下の２つの使い方ができる。
【００２６】
まず、日差しが強い時は、眩しくて、目が開け難いため、スモークシールド２０をメインシールド１０と重なるように使用する。こうすることにより、色付きのスモークシールド２０が目線の前に位置することから、太陽光を遮断することができる。
また、この使い方は夏にも適用でき、スモークシールド２０がメインシールド１０と重なることから、シールドの縦方向のカバー部分の広さが短いので、風をシールドの下方からヘルメット内に吹き込ませて蒸し暑さを解消することができる。
【００２７】
更に、夜間、或いはシールドの縦方向のカバー部分の広さを長くするように使用する時は、図４及び図５に示すように、スモークシールド２０を、リベット４１が摺動溝２１の中間に向かって下方へずらせば（図４及び図５の如く）、リベット４１を摺動溝２１の中間に、すなわち、摺動溝２１の最も外側の位置に移動させると、リベット４１がこの弧状の摺動溝２１に沿ってスムーズにスライドすることができる。
そうすると、透明なメインシールド１０がちょうど目線の前に位置することから、夜間でも道の状況をはっきりと目視することができる。また、冬の時には、シールドの縦方向のカバー部分が広いので、冬の冷たい風の吹き込みを防ぐことができるが、夏季と同様の状態で使用してもよい。
【００２８】
尚、スモークシールド２０をもとの状態に戻したい時は、スモークシールド２０を摺動溝２１に沿って最も上方へ押し上げれば、図３のように、スモークシールド２０をメインシールド１０と重なる状態に戻すことができる。
【００２９】
上述したように、本考案に係るシールドは、環境の変化に応じてシールドを調整できることから、昼間や夜間、夏や冬の時期にも適用できるので、実用性が非常に高い。
【符号の説明】
【００３０】
１０  メインシールド
１１  孔
１２  位置決め孔
２０  スモークシールド
２１  摺動溝
３０  組立構造
４０  位置決め部材
４１  リベット
４２  ガスケット
５０  ヘルメット
５１  枢設部材
【図１】
0003185577.tif 000003
【図２】
0003185577.tif 000004
【図３】
0003185577.tif 000005
【図４】
0003185577.tif 000006
【図５】
0003185577.tif 000007